(57)【要約】      （修正有）【課題】コースターに吸水性を付与するため、上面を構成する生地と下面を構成する生地との間に吸水性のクッション材を含有するコースターを提供する。【解決手段】上面を構成する生地１、２と下面を構成する生地４との間に吸水性のクッション材３として型押しされたセルロース系材料を使用し、その厚さを制御して含有させることで、効果的に水滴を吸収して表面が濡れるのを抑制する。上面を構成する生地１、２の表側に金襴１を使用し、裏側にポリエステル生地２を使用する。【選択図】図１
0003214655.tif 000002
【実用新案登録請求の範囲】
【請求項１】
コップのような容器を載せるコースターにおいて、上面を構成する生地と下面を構成する生地との間に吸水性のクッション材が含有されることを特徴とする、コースター。
【請求項２】
前記吸水性のクッション材が型押しされたセルロース系材料からなり、その厚さを１〜６ｍｍの範囲内に制御することを特徴とする、請求項１に記載のコースター。
【請求項３】
前記上面を構成する生地の表側に金襴を使用することを特徴とする、請求項１に記載のコースター。
【請求項４】
前記上面を構成する生地の裏側にポリエステル生地を使用することを特徴とする、請求項１または請求項３に記載のコースター。
【請求項５】
前記下面を構成する生地にポリエステルを使用することを特徴とする、請求項１に記載のコースター。
【請求項６】
コースターの端部分において、前記上面を構成する生地と前記下面を構成する生地の端末処理には合成繊維同士が熱融着して裁断されることを特徴とする、請求項１〜５のいずれか一項に記載のコースター。
【考案の詳細な説明】
【技術分野】
【０００１】  本考案は、コップのような容器の表面から滴り落ちる水滴を吸収する効果とともに、容器の転倒を防止する効果のあるコースターに関するものである。
【背景技術】
【０００２】  コップのような容器の下敷きとして使用するコースターは、冷たい飲料の入った容器を置いたとき、容器内外の温度差により容器表面から滴り落ちる水滴を吸収してテーブル上が濡れるのを抑制するために使用される。また、生地表面の図柄や文字などデザインにより装飾性のあるコースターも製造されている。【０００３】  従来のコースターは、時間経過とともに水滴の量も増加し、コースター表面または全体が濡れた状態となる。この状態で容器を持ち上げる際、その底面にコースターが吸着され、容器とコースターが同時に持ち上がってしまう。【０００４】  このような課題に対して、コースター上面の生地と下面の生地との間に吸水性のクッション材を含有させることにより、容器の表面から滴り落ちる水滴を従来よりも効果的に吸収するとともに、クッション材により容器の底面が安定して容器転倒を防止する機能を付与したコースターを提供する。また、生地表面を金襴として装飾性をもたせるとともに、コースターの端部分の裁断には合成繊維同士が熱融着する性質を利用して端末処理を行った。【０００５】  水滴の吸収に関連するコースターに関する文献では、表面が常に乾いた状態で安定性を有する例（特許文献１）、衣服等への滴下や付着を防止する吸収具（特許文献２）、容器底面とコースターの密着を防止する例（特許文献３）、容器表面との密着を防止する例（特許文献４）、等がある。しかしながら、本考案のように吸水性のクッション材として型押しされたセルロース系材料の厚さを制御したコースターに関係する文献は見当たらない。
【先行技術文献】
【特許文献】
【０００６】
【特許文献１】実用新案登録第３１８６１２７号公報
【特許文献２】実用新案登録第３１１８２５８号公報
【特許文献３】実用新案登録第３１２８７８２号公報
【特許文献４】実用新案登録第３２１２０４５号公報
【考案の概要】
【考案が解決しようとする課題】
【０００７】  本考案は、コースターに吸水性を付与するため、上面を構成する生地と下面を構成する生地との間に吸水性のクッション材を含有させることで、容器の表面から滴り落ちる水滴を従来よりも効果的に吸収するとともに、クッション材により容器の底面が安定して容器転倒を防止する機能を付与したコースターを提供する。
【課題を解決するための手段】
【０００８】  コースターに吸水性を付与するため、上面を構成する生地と下面を構成する生地との間に吸水性のクッション材を含有させた。吸水性のクッション材には型押しされたセルロース系材料を使用し、２枚重ねにより厚みを１．３ｍｍとなるよう調整した。【０００９】  具体的には本考案は以下のような構成で示される。
（１）コップのような容器を載せるコースターにおいて、上面を構成する生地と下面を構成する生地との間に吸水性のクッション材が含有されることを特徴とする、コースター。
（２）前記吸水性のクッション材が型押しされたセルロース系材料からなり、その厚さを１〜６ｍｍの範囲内に制御することを特徴とする、（１）に記載のコースター。
（３）前記上面を構成する生地の表側に金襴を使用することを特徴とする、（１）に記載のコースター。
（４）前記上面を構成する生地の裏側にポリエステル生地を使用することを特徴とする、（１）または（３）に記載のコースター。
（５）前記下面を構成する生地にポリエステルを使用することを特徴とする、（１）に記載のコースター。
（６）コースターの端部分において、前記上面を構成する生地と前記下面を構成する生地の端末処理には合成繊維同士が熱融着して裁断されることを特徴とする、（１）〜（５）のいずれか一項に記載のコースター。
【考案の効果】
【００１０】  本考案により、吸水性のあるクッション材が効果的に水滴を吸収し、コースター表面が濡れた状態になるのを抑制することができる。また、クッション材により容器の底面が安定して容器の転倒を防止する効果が期待できる。さらに、生地表面を金襴として装飾性をもたせるとともに、コースターの端部分の裁断には合成繊維同士が熱融着する性質を利用して端末処理を行った。
【図面の簡単な説明】
【００１１】
【図１】本考案におけるコースターの断面図である。
【考案を実施するための形態】
【００１２】  以下、図面に基づいて本考案の実施例を説明する。
【実施例】
【００１３】  上面を構成する生地には、金襴を使用した。金襴は糸に金箔を巻き付けた金糸や、細く切った金箔を織り込み紋様を表した織物で、豪華な帯地、高級人形衣装、袈裟・法衣などに使用される。ポリエステル、ナイロン、レーヨンの混紡糸からなる金襴生地をタテ１４ｃｍ、ヨコ１４ｃｍにカットした。【００１４】  上面を構成する生地の裏側にはポリエステル生地を貼り合わせた。ポリエステル生地は、ポリエステルの平織の片面に熱接着剤が塗られているもの（販売者：（株）三景）金欄生地の裏面に接着した。【００１５】  吸水性のクッション材には型押しされたセルロース系材料カークランドシグネチャーペーパータオルクリエイトＡサイズ（輸入者：コストコホールセールジャパン（株））を使用し、２枚重ねて厚みを１．３ｍｍとなるよう調整した。【００１６】  下面を構成する生地にはポリエステル生地を使用した。この生地は、ポリエステル素材の平織の生地（販売者：（株）三景）であり、タテ１４ｃｍ、ヨコ１４ｃｍにカットした。【００１７】  上面を構成する生地、吸水性のクッション材および下面を構成する生地を図１のように配置し、コースターの端部分を裁断した。裁断にはブラザー工業（株）製音波カットミシンを用いて、上面を構成する生地の裏側に使用しているポリエステル繊維と下面を構成する生地に使用するポリエステル繊維が熱により融着する性質を利用して、両者が接着した状態で裁断した。
【符号の説明】
【００１８】  １  上面を構成する生地のうち表側部分の金襴
２  上面を構成する生地のうち裏側部分のポリエステル生地
３  吸水性のクッション材
４  下面を構成する生地
【図１】
0003214655.tif 000003